(57)【要約】【課題】高いコントラスト比を実現しつつ、色むらのない良好な投写画像を形成することができる光学部品用筐体、光学ユニットおよびプロジェクタを提供する。【解決手段】光学部品用筐体としてのライトガイド４０は、照明光軸上の所定位置に光学部品としての入射側偏光板４４２および視野角拡大板４４８を配置するために、照明光軸と直交する面内で上記光学部品を回動自在にする第１回動機構４０３および第２回動機構４０４を備えている。そして、第１回動機構４０３により調整された入射側偏光板４４２における偏光軸の角度に応じて、視野角拡大板４４８の視野角調整を実施でき、高いコントラスト比を実現するとともに、液晶パネル毎に生じる視野角依存性による画面ムラを抑制し、色むらのない投写画像を形成できる。【選択図】　図９
2004138913.tif 000002
【特許請求の範囲】
【請求項１】
内部に光源から射出された光束の照明光軸が設定され、複数の光学部品を収納して前記照明光軸上の所定位置に配置する光学部品用筐体であって、
前記照明光軸上の所定位置に前記光学部品を配置するために、前記照明光軸と直交する面内で前記光学部品を回動自在にする複数の回動機構を備えていることを特徴とする光学部品用筐体。
【請求項２】
請求項１に記載の光学部品用筐体において、
前記回動機構は、光学部品を保持する第１保持枠と、この第１保持枠を前記照明光軸と直交する面内で回動自在に軸支する支持部と、この支持部を中心として前記第１保持枠を回動させる調整部とを備えた第１回動機構と、
他の光学部品を保持する略円形状の外形を有する第２保持枠と、この第２保持枠を回動自在に支持する支持溝とを備えた第２回動機構とを備えていることを特徴とする光学部品用筐体。
【請求項３】
請求項２に記載の光学部品用筐体において、
前記第２保持枠は、当該光学部品用筐体本体に対して着脱自在に設けられることを特徴とする光学部品用筐体。
【請求項４】
請求項２または請求項３に記載の光学部品用筐体において、
当該光学部品用筐体本体は、下面略法線方向に延びる螺合構造を備え、
前記調整部は、前記第１保持枠を介して前記螺合構造と螺合する螺合部材と、前記螺合部材に対して前記第１保持枠を付勢する付勢部材とを備え、
前記第１保持枠は、前記螺合部材の螺合状態を変更することにより前記支持部を中心として回動することを特徴とする光学部品用筐体。
【請求項５】
請求項４に記載の光学部品用筐体において、
前記螺合部材は、ねじであり、
前記ねじの回転端は、当該光学部品用筐体に対して外部に露出していることを特徴とする光学部品用筐体。
【請求項６】
請求項２から請求項５のいずれかに記載の光学部品用筐体において、
光源から射出された光束を画像情報に応じて変調する光変調素子と、入射する光束の偏光軸を変換する偏光板と、前記光変調素子から射出される光束の視野角を拡大する光学補償手段とを収納し、
前記第１回動機構は、前記偏光板を保持し、
前記第２回動機構は、前記光学補償手段を保持することを特徴とする光学部品用筐体。
【請求項７】
光源から射出された光束の光路上に配置される複数の光学部品と、前記請求項１から前記請求項６のいずれかに記載の光学部品用筐体とを備えていることを特徴とする光学ユニット。
【請求項８】
前記請求項７に記載の光学ユニットを備えていることを特徴とするプロジェクタ。
【発明の詳細な説明】
【０００１】
【発明の属する技術分野】
本発明は、内部に光源から射出された光束の照明光軸が設定され、複数の光学部品を収納して前記照明光軸上の所定位置に配置する光学部品用筐体、光学ユニットおよびプロジェクタに関する。
【０００２】
【背景技術】
従来より、会議、学会、展示会等でのプレゼンテーションにプロジェクタを用いることが知られている。このようなプロジェクタは、その内部に複数の光学部品を収容し、これらの光学部品を用いることにより、光源から射出された光束を変調した後に拡大投写して投写画像を形成している。
このような光学部品として、光源から射出された光束を変調する光変調素子と、この光変調素子を挟むように配置される入射側偏光板および射出側偏光板とが用いられている。
ここで、入射側偏光板および射出側偏光板は、光変調素子に入射する偏光方向を制御するとともに、光変調素子から射出される光束の偏光方向を制御するものであり、それぞれの偏光軸が直交するように配置される。このような構成により、投写画像の高いコントラストを実現している。
【０００３】
このため、従来では、入射側偏光板および射出側偏光板の偏光軸同士のなす角度、入射側偏光板、射出側偏光板それぞれの偏光軸の角度を調整するための調整機構を備えたプロジェクタが知られている（例えば、特許文献１参照）。
この調整機構は、光学部品を収容する光学部品用筐体とは独立して設けられ、光学部品用筐体の所定位置に設置される。そして、光学部品用筐体の上面に形成された孔を介してこの調整機構を操作することにより、入射側偏光板を照明光軸と直交する面内で位置調整が実施される。
また、近年において、三枚の光変調素子を用いた三板式のプロジェクタでは、光変調素子毎の視野角を調整し、光変調素子毎に生じる視野角依存性による画面ムラを抑制して、色むらのない投写画像を形成するために、光学補償手段としての位相差板または視野角拡大板等を用いる構成も利用されている。この光学補償手段は、照明光軸上において、例えば、入射側偏光板または射出側偏光板と、光変調素子との間に配置され、光学部品用筐体に固定される。
【０００４】
【特許文献１】
特開２０００−２５９０９３号公報
【０００５】
【発明が解決しようとする課題】
上記のような調整機構では、入射側偏光板の偏光軸の角度を調整する。これに対して光学補償手段は、光学部品用筐体に固定されているので、調整された偏光軸の角度に応じた視野角の調整を実施することができない。したがって、例えば、三板式のプロジェクタでは、光変調素子毎に生じる視野角依存性による画面ムラを抑制できず、投写画像に色むらが生じるなどの問題が一例として挙げられる。
【０００６】
本発明の目的は、このような問題点に鑑みて、高いコントラスト比を実現するとともに、色むらのない良好な投写画像を形成することができる光学部品用筐体、光学ユニットおよびプロジェクタを提供することにある。
【０００７】
【課題を解決するための手段】
本発明の光学部品用筐体は、内部に光源から射出された光束の照明光軸が設定され、複数の光学部品を収納して前記照明光軸上の所定位置に配置する光学部品用筐体であって、前記照明光軸上の所定位置に前記光学部品を配置するために、前記照明光軸と直交する面内で前記光学部品を回動自在にする複数の回動機構を備えていることを特徴とする。
本発明によれば、光学部品用筐体は、複数の回動機構を備えているので、従来の調整機構と比較して、これら回動機構により複数の光学部品の位置調整を実施できる。例えば、光学部品として、入射側偏光板、射出側偏光板、光学補償手段としての位相差板、視野角拡大板を採用すれば、偏光板における偏光軸の角度調整とともに、光学補償手段における視野角調整も実施できる。したがって、偏光板における偏光軸の角度に応じて、光学補償手段の視野角調整を実施でき、高コントラストかつ視野角の良好な投写画像を形成できる。また、例えば、三板式のプロジェクタにおいては、高いコントラスト比を実現しつつ、光変調素子毎に生じる視野角依存性による画面ムラを抑制し、色むらのない投写画像を形成できる。
【０００８】
本発明の光学部品用筐体では、前記回動機構は、光学部品を保持する第１保持枠と、この第１保持枠を前記照明光軸と直交する面内で回動自在に軸支する支持部と、この支持部を中止として前記第１保持枠を回動させる調整部とを備えた第１回動機構と、他の光学部品を保持する略円形状の外形を有する第２保持枠と、この第２保持枠を回動自在に支持する支持溝とを備えた第２回動機構とを備えていることが好ましい。
本発明では、回動機構は、第１回動機構および第２回動機構を備えている。また、第１回動機構は、第１保持枠、支持部および調整部を備えている。さらに、第２回動機構は、第２保持枠および支持溝を備え、第２保持枠が支持溝内で回動自在に構成される。このことにより、回動機構を簡素化し、光学部品の位置調整を容易に実施できる。
【０００９】
本発明の光学部品用筐体では、前記第２保持枠は、当該光学部品用筐体本体に対して着脱自在に設けられることが好ましい。
本発明では、第２保持枠は、光学部品用筐体本体に対して着脱自在に設けられている。このことにより、例えば、光学部品用筐体内部に光学部品が密接して設置される場合には、第１回動機構を操作して一方の光学部品における位置調整を実施した後に、第２保持枠を光学部品用筐体に装着して他方の光学部品における位置調整を実施できる。したがって、光学部品の位置調整を効率的かつ容易に実施できる。
【００１０】
本発明の光学部品用筐体では、当該光学部品用筐体本体は、下面略法線方向に延びる螺合構造を備え、前記調整部は、前記第１保持枠を介して前記螺合構造と螺合する螺合部材と、前記螺合部材に対して前記第１保持枠を付勢する付勢部材とを備え、前記第１保持枠は、前記螺合部材の螺合状態を変更することにより前記支持部を中心として回動することが好ましい。
本発明によれば、調整部は、螺合部材および付勢部材を備え、第１保持枠は、螺合部材の螺合状態を変更することにより支持部を中心として回動するので、簡素な構造で光学部品の位置調整を適切に実施できる。
【００１１】
本発明の光学部品用筐体では、前記螺合部材は、ねじであり、前記ねじの回転端は、当該光学部品用筐体に対して外部に露出していることが好ましい。
本発明によれば、螺合部材は、ねじであり、ねじの回転端が、光学部品用筐体に対して外部に露出しているので、光学部品用筐体の外部から、螺合部材における螺合状態の変更を実施できる。すなわち、光学部品用筐体の外部から螺合部材の螺合状態の変更を実施できるので、光学部品の位置調整をさらに容易に実施できる。
【００１２】
本発明の光学部品用筐体では、光源から射出された光束を画像情報に応じて変調する光変調素子と、入射する光束の偏光軸を変換する偏光板と、前記光変調素子から射出される光束の視野角を拡大する光学補償手段とを収納し、前記第１回動機構は、前記偏光板を保持し、前記第２回動機構は、前記光学補償手段を保持することが好ましい。
ここで、光学補償手段としては、例えば、位相差板、富士写真フィルムが販売する「Ｆｕｊｉ　ＷＶ　Ｆｉｌｍ　ワイドビューＡ」（商品名）等の視野角拡大板等を採用できる。
本発明によれば、第１回動機構は偏光板を保持し、第２回動機構は光学補償手段を保持するので、従来の調整機構と比較して、偏光板および光学補償手段それぞれを独立して位置調整を実施できる。したがって、偏光板における偏光軸の角度に応じて、光学補償手段の視野角調整を実施でき、高コントラストかつ視野角の良好な投写画像を形成できる。また、例えば、三板式のプロジェクタにおいては、高いコントラスト比を実現するとともに、光変調素子毎に生じる視野角依存性による画面ムラを抑制し、色むらのない投写画像を形成できる。
【００１３】
本発明の光学ユニットは、光源から射出された光束の光路上に配置される複数の光学部品と、上記光学部品用筐体とを備えていることを特徴とする。
本発明によれば、前述の光学部品用筐体を備えることで、前述したように本発明の目的が達成されるうえ、前述の他の作用効果をも同様に奏する。
また、前述した光学部品用筐体を用いれば、光学ユニット内部の種々の光学部品を容易に位置調整できる。
【００１４】
本発明のプロジェクタは、上記光学ユニットを備えていることを特徴とする。本発明によれば、前述の光学ユニットを備えることで、前述したように本発明の目的が達成されるうえ、前述の他の作用効果をも同様に奏する。
また、前述した光学ユニットを用いれば、投写画像の高コントラスト化を図るとともに、良好な視野角を有する投写画像を形成できる。さらに、例えば、三板式のプロジェクタとすれば、投写画像の高コントラスト化を図るとともに、光変調素子毎に生じる視野角依存性による画面ムラを抑制し、色むらのない投写画像を形成できる。
【００１５】
【発明の実施の形態】
以下、本発明の一実施形態を図面に基づいて説明する。
（１）外観構成
図１および図２には、本発明の実施形態に係るプロジェクタ１が示されており、図１は上方前面側から見た斜視図であり、図２は下方背面側から見た斜視図である。
このプロジェクタ１は、光源から射出された光束を画像情報に応じて変調し、スクリーン等の投写面上に拡大投写する光学機器であり、後述する光学エンジンを含む装置本体を内部に収納する外装ケース２および外装ケース２から露出する投写レンズ３を備えている。
投写レンズ３は、後述する光変調素子としての液晶パネルにより光源から射出された光束を画像情報に応じて変調形成された光学像を拡大投写する投写光学系としての機能を具備するものであり、筒状体内部に複数のレンズが収納された組レンズとして構成される。
【００１６】
外装ケース２は、投写方向に直交する幅方向の寸法が投写方向寸法よりも大きい幅広の直方体形状をなし、装置本体の上部を覆うアッパーケース２１と、装置本体の下部を覆うロアーケース２２と、装置本体の前面部分を覆うフロントケース２３とを備えている。これら各ケース２１〜２３は、射出成形等によって成形された合成樹脂製の一体成形品である。
【００１７】
アッパーケース２１は、装置本体の上部を覆う上面部２１Ａと、この上面部２１Ａの幅方向端部から略垂下する側面部２１Ｂ、２１Ｃと、上面部２１Ａの後端部から略垂下する背面部２１Ｄとを備えている。
上面部２１Ａの投写方向前側には、プロジェクタ１の起動・調整操作を行うための操作パネル２４が設けられている。この操作パネル２４は、起動スイッチ、画像・音声等の調整スイッチを含む複数のスイッチを備え、プロジェクタ１による投写時には、操作パネル２４中の調整スイッチ等を操作することにより、画質・音量等の調整を行うことができる。
【００１８】
また、上面部２１Ａの操作パネル２４の隣には、複数の孔２４１が形成されていて、この内部には、図示を略したが、音声出力用のスピーカが収納されている。
これら操作パネル２４およびスピーカは、後述する装置本体を構成する制御基板と電気的に接続され、操作パネル２４による操作信号はこの制御基板で処理される。
背面部２１Ｄには、略中央部分に上面部２１Ａ側に切り欠かれた凹部が形成され、この凹部には、後述する制御基板に接続されたインターフェース基板上に設けられたコネクタ群２５が露出する。
【００１９】
ロアーケース２２は、アッパーケース２１との係合面を中心として略対称に構成され、底面部２２Ａ、側面部２２Ｂ、２２Ｃ、および背面部２２Ｄを備えている。そして、側面部２２Ｂ、２２Ｃ、および背面部２２Ｄは、その上端部分でアッパーケース２１の側面部２１Ｂ、２１Ｃ、および背面部２１Ｄの下端部分と係合し、外装ケース２の側面部分および背面部分を構成する。
【００２０】
底面部２２Ａには、プロジェクタ１の後端側略中央に固定脚部２６が設けられているとともに、先端側幅方向両端に調整脚部２７が設けられている。
この調整脚部２７は、底面部２２Ａから面外方向に進退自在に突出する軸状部材から構成され、軸状部材自体は、外装ケース２の内部に収納されている。このような調整脚部２７は、プロジェクタ１の側面部分に設けられる調整ボタン２７１を操作することにより、底面部２２Ａからの進退量を調整することができる。これにより、プロジェクタ１から射出された投写画像の上下位置を調整し、適切な位置に投写画像を形成することができるようになる。
【００２１】
また、底面部２２Ａには、外装ケース２の内部と連通する開口部２８、２９、３０が形成されている。
開口部２８は、プロジェクタ１の光源を含む光源装置を着脱する部分であり、通常は、ランプカバー２８１によって塞がれている。
開口部２９、３０は、スリット状の開口部として構成される。
開口部２９は、光源ランプから射出された光束を画像情報に応じて変調する光変調装置としての液晶パネルを含む光学装置を冷却するための冷却空気取込用の吸気用開口部である。
開口部３０は、プロジェクタ１の装置本体を構成する電源ユニット、光源駆動回路を冷却するための冷却空気取込用の吸気用開口部である。
尚、開口部２９、３０は、そのスリット状開口部分で常時プロジェクタ１内部と連通しているため、塵埃等が内部に侵入しないように、それぞれの内側に防塵フィルタが設けられている。ただし、開口部３０は防塵フィルタを設けなくてもよい。
【００２２】
さらに、底面部２２Ａには、底面部２２Ａに回転自在に取り付けられた蓋部材３１が設けられていて、この蓋部材３１の内部には、プロジェクタ１を遠隔操作するためのリモートコントローラが収納されるようになっている。尚、図示しないリモートコントローラには、前述した操作パネル２４に設けられる起動スイッチ、調整スイッチ等と同様のものが設けられていて、リモートコントローラを操作すると、この操作に応じた赤外線信号がリモートコントローラから出力され、赤外線信号は、外装ケース前面および背面に設けられる受光部３１１を介して制御基板で処理される。
【００２３】
背面部２２Ｄには、アッパーケース２１の場合と同様に、略中央部分に底面部２２Ａ側に切り欠かれた凹部が形成され、前記インターフェース基板上に設けられたコネクタ群２５が露出するとともに、端部近傍にもさらに開口部３２が形成されていて、この開口部３２からインレットコネクタ３３が露出している。インレットコネクタ３３は、外部電源からプロジェクタ１に電力を供給する端子であり、後述する電源ユニットと電気的に接続される。
【００２４】
フロントケース２３は、前面部２３Ａおよび上面部２３Ｂを備えて構成され、上面部２３Ｂの投写方向後端側で前述したアッパーケース２１およびロアーケース２２の投写方向先端部分と係合する。
前面部２３Ａには、投写レンズ３を露出させるための略円形状の開口部３４、およびその隣に形成された複数のスリットから構成される開口部３５が形成されている。
【００２５】
開口部３４は、その上面側がさらに開口され、投写レンズ３の鏡筒の一部が露出していて、鏡筒周囲に設けられたズーム・フォーカス調整用のつまみ３Ａ、３Ｂを外部から操作することができるようになっている。
開口部３５は、装置本体を冷却した空気を排出する排気用開口部として構成され、後述するプロジェクタ１の構成部材である光学系、制御系、および電源ユニット・ランプ駆動ユニットを冷却した空気は、この開口部３５からプロジェクタ１の投写方向に排出される。
【００２６】
（２）内部構成
このような外装ケース２の内部には、図３〜図５に示されるように、プロジェクタ１の装置本体が収納されており、この装置本体は、図３に示される光学ユニット４、制御基板５、および、図４に示される電源ブロック６を備えて構成される。
（２−１）光学ユニット４の構造
光学エンジンとしての光学ユニット４は、光源装置から射出された光束を画像情報に応じて変調して光学像を形成し、投写レンズ３を介してスクリーン上に投写画像を形成するものであり、図４に示される光学部品用筐体としてのライトガイド４０内に、光源装置や、種々の光学部品等を組み込んだものとして構成される。
このライトガイド４０は、下ライトガイド４０１、および図４では図示を略した上ライトガイドから構成され、それぞれは、射出成形等による合成樹脂製品である。
【００２７】
下ライトガイド４０１は、光学部品を収納する底面部４０１Ａ及び側壁部４０１Ｂからなる上部が開口された容器状に形成され、側壁部４０１Ｂには、複数の溝部４０１Ｃが設けられている。この溝部４０１Ｃには、光学ユニット４を構成する種々の光学部品が装着され、これにより各光学部品は、ライトガイド４０内に設定された照明光軸上に精度よく配置される。上ライトガイドは、この下ライトガイド４０１に応じた平面形状を有し、下ライトガイド４０１の上面を塞ぐ蓋状部材として構成される。
また、下ライトガイド４０１の底面部４０１Ａの光束射出側端部には、円形状の開口部が形成された前面壁が設けられていて、この前面壁には、投写レンズ３の基端部分が接合固定される。
【００２８】
このようなライトガイド４０内は、図５に示されるように、インテグレータ照明光学系４１と、色分離光学系４２と、リレー光学系４３と、光変調光学系および色合成光学系を一体化した光学装置４４とに機能的に大別される。尚、本例における光学ユニット４は、三板式のプロジェクタに採用されるものであり、ライトガイド４０内で光源から射出された白色光を三色の色光に分離する空間色分離型の光学ユニットとして構成されている。
インテグレータ照明光学系４１は、光源から射出された光束を照明光軸直交面内における照度を均一にするための光学系であり、光源装置４１１、第１レンズアレイ４１２、第２レンズアレイ４１３、偏光変換素子４１４、および重畳レンズ４１５を備えて構成される。
【００２９】
光源装置４１１は、放射光源としての光源ランプ４１６およびリフレクタ４１７を備え、光源ランプ４１６から射出された放射状の光線をリフレクタ４１７で反射して略平行光線とし、外部へと射出する。本例では、光源ランプ４１６として高圧水銀ランプを採用しているが、これ以外にメタルハライドランプやハロゲンランプを採用することもある。また、本例では、リフレクタ４１７として放物面鏡を採用しているが、楕円面鏡からなるリフレクタの射出面に平行化凹レンズを配置した構成も採用することもできる。
【００３０】
第１レンズアレイ４１２は、照明光軸方向から見てほぼ矩形状の輪郭を有する小レンズがマトリクス状に配列された構成を具備している。各小レンズは、光源ランプ４１６から射出された光束を部分光束に分割し、照明光軸方向に射出する。各小レンズの輪郭形状は、後述する液晶パネル４４１の画像形成領域の形状とほぼ相似形をなすように設定される。例えば、液晶パネル４４１の画像形成領域のアスペクト比（横と縦の寸法の比率）が４：３であるならば、各小レンズのアスペクト比も４：３に設定される。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を液晶パネル４４１上に結像させる機能を有する。
【００３１】
偏光変換素子４１４は、第２レンズアレイ４１３からの光を１種類の偏光光に変換するものであり、これにより、光学装置４４での光の利用率が高められている。
具体的に、偏光変換素子４１４によって１種類の偏光光に変換された各部分光束は、重畳レンズ４１５によって最終的に光学装置４４の液晶パネル４４１上にほぼ重畳される。偏光光を変調するタイプの液晶パネル４４１を用いたプロジェクタでは、１種類の偏光光しか利用できないため、ランダムな偏光光を発する光源ランプ４１６からの光束の略半分が利用されない。このため、偏光変換素子４１４を用いることにより、光源ランプ４１６から射出された光束を略１種類の偏光光に変換し、光学装置４４における光の利用効率を高めている。なお。このような偏光変換素子４１４は、例えば、特開平８−３０４７３９号公報に紹介されている。
【００３２】
色分離光学系４２は、２枚のダイクロイックミラー４２１，４２２と、反射ミラー４２３とを備え、ダイクロイックミラー４２１、４２２によりインテグレータ照明光学系４１から射出された複数の部分光束を赤（Ｒ）、緑（Ｇ）、青（Ｂ）の３色の色光に分離する機能を有している。
リレー光学系４３は、入射側レンズ４３１と、リレーレンズ４３３と、反射ミラー４３２、４３４とを備え、色分離光学系４２で分離された色光である赤色光を液晶パネル４４１Ｒまで導く機能を有している。
【００３３】
この際、色分離光学系４２のダイクロイックミラー４２１では、インテグレータ照明光学系４１から射出された光束のうち、赤色光成分と緑色光成分とは透過し、青色光成分は反射する。ダイクロイックミラー４２１によって反射した青色光は、反射ミラー４２３で反射し、フィールドレンズ４１８を通って、青色用の液晶パネル４４１Ｂに到達する。このフィールドレンズ４１８は、第２レンズアレイ４１３から射出された各部分光束をその中心軸（主光線）に対して平行な光束に変換する。他の液晶パネル４４１Ｇ、４４１Ｒの光入射側に設けられたフィールドレンズ４１８も同様である。
【００３４】
また、ダイクロイックミラー４２１を透過した赤色光と緑色光のうちで、緑色光は、ダイクロイックミラー４２２によって反射し、フィールドレンズ４１８を通って、緑色用の液晶パネル４４１Ｇに到達する。一方、赤色光は、ダイクロイックミラー４２２を透過してリレー光学系４３を通り、さらにフィールドレンズ４１８を通って、赤色光用の液晶パネル４４１Ｒに到達する。
なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１８に伝えるためである。なお、リレー光学系４３には、３つの色光のうちの赤色光を通す構成としたが、これに限らず、例えば、青色光を通す構成としてもよい。
【００３５】
光学装置４４は、入射された光束を画像情報に応じて変調してカラー画像を形成するものであり、色分離光学系４２で分離された各色光が入射される３つの入射側偏光板４４２と、各入射側偏光板４４２の後段に配置される光変調素子としての液晶パネル４４１Ｒ、４４１Ｇ、４４１Ｂと、各液晶パネル４４１Ｒ、４４１Ｇ、４４１Ｂの後段に配置される射出側偏光板４４３と、色合成光学素子としてのクロスダイクロイックプリズム４４４とを備える。
【００３６】
液晶パネル４４１Ｒ、４４１Ｇ、４４１Ｂは、例えば、ポリシリコンＴＦＴをスイッチング素子として用いたものであり、図示を略したが、対向配置される一対の透明基板内に液晶が密封封入されたパネル本体を、保持枠内に収納して構成される。
光学装置４４において、色分離光学系４２で分離された各色光は、これら３枚の液晶パネル４４１Ｒ，４４１Ｇ，４４１Ｂ、入射側偏光板４４２、および射出側偏光板４４３によって画像情報に応じて変調されて光学像を形成する。
【００３７】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。また、基板を用いずに、偏光膜をフィールドレンズ４１８に貼り付けてもよい。
射出側偏光板４４３も、入射側偏光板４４２と略同様に構成され、液晶パネル４４１（４４１Ｒ，４４１Ｇ，４４１Ｂ）から射出された光束のうち、所定方向の偏光光のみ透過させ、その他の光束を吸収するものである。また、基板を用いずに、偏光膜をクロスダイクロイックプリズム４４４に貼り付けてもよい。
これらの入射側偏光板４４２および射出側偏光板４４３は、互いの偏光軸の方向が直交するように設定されている。
【００３８】
クロスダイクロイックプリズム４４４は、射出側偏光板４４３から射出され、色光毎に変調された光学像を合成してカラー画像を形成するものである。
クロスダイクロイックプリズム４４４には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
このような光学装置４４は、クロスダイクロイックプリズム４４４の各光束入射端面に、矩形板状体の四隅部分に面外方向に突出するピンを備えた保持部材としてのパネル固定板を貼り付け、各ピンに液晶パネル４４１Ｒ、４４１Ｇ、４４１Ｂの保持枠に形成された孔を挿入することにより一体化されている。
そして、一体化された光学装置４４は、前述したライトガイド４０の投写レンズ３の光路前段に配置され、下ライトガイド４０１の底面部にねじ止め固定される。
【００３９】
（２−２）制御基板５の構造
制御基板５は、図３に示すように、光学ユニット４の上側を覆うように配置され、演算処理装置、液晶パネル４４１駆動用ＩＣが実装されたメイン基板５１と、このメイン基板５１の後端側で接続され、外装ケース２の背面部２１Ｄ、２２Ｄに起立するインターフェース基板５２とを備えている。
インターフェース基板５２の背面側には、前述したコネクタ群２５が実装されていて、コネクタ群２５から入力する画像情報は、このインターフェース基板５２を介してメイン基板５１に出力される。
【００４０】
メイン基板５１上の演算処理装置は、入力した画像情報を演算処理した後、液晶パネル駆動用ＩＣに制御指令を出力する。駆動用ＩＣは、この制御指令に基づいて駆動信号を生成出力して液晶パネル４４１を駆動させ、これにより、画像情報に応じて光変調を行って光学像が形成される。
このようなメイン基板５１は、パンチングメタルを折り曲げ加工した板金５３によって覆われ、この板金５３は、メイン基板５１上の回路素子等によるＥＭＩ（電磁障害）を防止するために設けられている。
【００４１】
（２−３）電源ブロック６の構造
電源ブロック６は、図６に示される電源回路を備えた電源ユニット６１と、この電源ユニット６１の下方に配置される図７に示される光源駆動回路を備えたランプ駆動ユニット６２とを備えている。
電源ユニット６１は、前述したインレットコネクタ３３に接続された図示しない電源ケーブルを通して外部から供給された電力を、前記ランプ駆動ユニット６２や制御基板５等に供給するものである。
【００４２】
この電源ユニット６１は、内部に配置される図示しない本体基板と、この本体基板を囲む金属製の筒状体６１２とを備えて構成されている。この筒状体６１２は、冷却空気を流す導風部材としての機能の他、制御基板５における板金５３と同様にＥＭＩを防止する。
また、この筒状体６１２の基端部分には、図示しない吸気ファンが取り付けられ、外部から開口部３０（図２、図７参照）を介して冷却空気を取り込み、取り込んだ冷却空気を電源ブロック６内部に供給する。
【００４３】
ランプ駆動ユニット６２は、前述した光源装置４１１に安定した電圧で電力を供給するための変換回路であり、電源ユニット６１から入力した商用交流電流は、このランプ駆動ユニット６２によって整流、変換されて、直流電流や交流矩形波電流となって光源装置４１１に供給される。
このランプ駆動ユニット６２は、図７に示すように、ロアーケース２２の底面部２２Ａに樹脂リベットまたはねじにより固定される基板６２１と、基板６２１の上面部分に種々の回路素子６２２とを備えて構成され、基板６２１は、前述した電源ユニット６１の延出方向と直交する方向に延出している。
【００４４】
また、ランプ駆動ユニット６２は、ロアーケース２２の底面部２２Ａ内面に立設された複数の板状体６４によって囲まれているとともに、複数の板状体６４は、底面部２２Ａに形成された吸気用の開口部３０をも囲むように設けられていて、開口部３０近傍の空間およびランプ駆動ユニット６２が配置された空間は、これら複数の板状体６４によってロアーケース２２内で他の空間から独立している。
尚、複数の板状体６４は、ロアーケース２２の射出成形時に同時に一体的に成形して構成されたものである。
このような電源ユニット６１は、ロアーケース２２に樹脂リベットまたはねじにより固定される。
【００４５】
（２−４）冷却構造
前述したプロジェクタ１には、図８に示されるように、内部に光学装置４４の冷却系Ａと、電源ブロック６の冷却系Ｂとが設定されている。
冷却系Ａは、吸気ダクトユニット７によって開口部２９から吸気された冷却空気の流れである。
吸気ダクトユニット７は、投写レンズ３を挟んで対向配置される一対のシロッコファン７１と、これら一対のシロッコファン７１の吸気面を開口部２９に連通させるダクトと（図示略）を含んで構成される。
【００４６】
吸気ダクトユニット７から取り込まれた冷却空気は、シロッコファン７１を介して、液晶パネル４４１Ｒ、４４１Ｇ、４４１Ｂの下方に供給され、クロスダイクロイックプリズム４４４の光束入射端面に沿って下方から上方に流れ、液晶パネル４４１Ｒ、４４１Ｇ、４４１Ｂ、射出側偏光板４４３、入射側偏光板４４２を冷却する。
ここで、図８のプロジェクタ１の前面から見て、投写レンズ３左側に配置されるシロッコファン７１は、液晶パネル４４１Ｒ，４４１Ｂに冷却空気を供給するが、その内の一部は、偏光変換素子４１４および光源ランプ４１６の冷却空気として使用される。
【００４７】
すなわち、この冷却空気の一部は、ロアーケース２２の底面部２２Ａと、下ライトガイド４０１の下面との間に形成された隙間を流れ、その途中でさらに、２方向に分岐する。一方の分岐した冷却空気は、偏光変換素子４１４に応じた位置の下ライトガイド４０１の下面に形成されたスリット孔から、ライトガイド４０内部に供給されて偏光変換素子４１４を冷却した後、光源装置４１１に供給されて光源ランプ４１６を冷却する。他方の分岐した冷却空気は、直接光源装置４１１に供給され、光源ランプ４１６を冷却する。
そして、光源ランプ４１６を冷却した空気は、排気ファン８１および排気ダクト８２を備えた排気ダクトユニット８によって集荷され、フロントケース２３の開口部３５からプロジェクタ１の外部に排出される。
光学装置４４の上方に流れた冷却空気は、制御基板５を構成するメイン基板５１にあたってその流れ方向が直角に曲折され、メイン基板５１に実装された種々の回路素子を冷却する。
メイン基板５１を冷却した冷却空気は、排気ファン８１および排気ダクト８２を備えた排気ダクトユニット８によって集荷され、フロントケース２３の開口部３５からプロジェクタ１の外部から排出される。
【００４８】
一方、冷却系Ｂは、電源ユニット６１に設けられた図示しない吸気ファンによって開口部３０から取り込まれた冷却空気の流れであり、電源ユニット６１およびランプ駆動ユニット６２を冷却する系である。
そして、吸気ファンによって開口部３０から取り込まれた冷却空気は、一部が電源ユニット６１の筒状体６１２の内部に供給され、本体基板に実装された回路素子を冷却する、また、他の一部が、筒状体６１２の下面を流れ、ランプ駆動ユニット６２に供給され、ランプ駆動ユニット６２の基板６２１上に実装された回路素子を冷却する。
この後、電源ブロック６を冷却した空気は、開口部３５を介して外部に排出される。
【００４９】
（３）光学部品の保持構造
ここで、光学ユニット４において、ライトガイド４０における光学部品としての入射側偏光板４４２および光学補償手段としての視野角拡大板４４８の保持構造を詳細に説明する。
また、ライトガイド４０の構成についても説明する。
ライトガイド４０は、図９に示すように、下ライトガイド４０１と、この下ライトガイド４０１を閉塞する上ライトガイド４０２とを備えている。
上ライトガイド４０２は、下ライトガイド４０１の開口部分に対応した形状を有して略板状に形成され、下ライトガイド４０１に設置される光学装置４４の位置に対応するように切り欠き部４０２Ａが形成されている。そして、この上ライトガイド４０２は、この切り欠き部４０２Ａに沿って、かつ、下ライトガイド４０１に設置される光学装置４４の各液晶パネル４４１に対応して、３つの第１回動機構４０３を備えている。なお、図９では、液晶パネル４４１Ｂに対応する第１回動機構４０３のみを示し、液晶パネル４４１Ｒ，４４１Ｇに対応する第１回動機構４０３を省略している。
【００５０】
第１回動機構４０３は、入射側偏光板４４２を保持し、ライトガイド４０内に形成される照明光軸と直交する面内で回動自在に構成される。この第１回動機構４０３は、図１０に示すように、第１保持枠４０３Ａと、支持部４０３Ｂと、調整部４０３Ｃとを備えている。
第１保持枠４０３Ａは、図９または図１０に示すように、略矩形枠状に形成され、入射側偏光板４４２を保持する。この第１保持枠４０３Ａは、長辺側辺縁の一端から短辺に沿って上方に延出し、さらに、長辺方向に離間するように腕部４０３Ａ１が形成されている。そして、この腕部４０３Ａ１の先端には、調整部４０３Ｃと遊嵌する孔４０３Ａ２が形成されている。
また、この第１保持枠４０３Ａの長辺側辺縁の他端には、支持部４０３Ｂと係合する孔４０３Ａ３が形成されている。
さらに、この第１保持枠４０３Ａの開口部周縁近傍には、入射側偏光板４４２の外形位置を規定する外形位置規定部４０３Ａ４が形成されている。そして、第１保持枠４０３Ａには、外形位置規定部４０３Ａ４にて入射側偏光板４４２の外形位置を規定しつつ、接着剤または両面テープまたは熱カシメ等により、入射側偏光板４４２を固定する。
【００５１】
支持部４０３Ｂは、図９または図１０に示すように、切り欠き部４０２Ａから照明光軸に平行に突出する突出部であり、第１保持枠４０３Ａの孔４０３Ａ３と係合し、第１保持枠４０３Ａを回動自在に軸支する。
調整部４０３Ｃは、図１０に示すように、支持部４０３Ｂを中心として第１保持枠４０３Ａを回動する。ここで、上ライトガイド４０２の切り欠き部４０２Ａの近傍には、図９または図１０に示すように、表面側に径の大きな穴４０２Ｂ１、内部に径の小さな穴４０２Ｂ２を持った段付き穴４０２Ｂが形成されている。そして、穴４０２Ｂ２は、雌ねじ孔である。すなわち、この穴４０２Ｂ２が、本発明に係る螺合構造に相当する。そして、調整部４０３Ｃは、この穴４０２Ｂ２と螺合する螺合部材としてのねじ４０３Ｃ１と、ねじ４０３Ｃ１に対して第１保持枠４０３Ａを付勢する付勢部材としてのコイルバネ４０３Ｃ２とを備えている。
【００５２】
ねじ４０３Ｃ１は、回転端が鍔状に形成され、この回転端がライトガイド４０に対して外部に露出する。
コイルバネ４０３Ｃ２は、腕部４０３Ａ１と穴４０２Ｂ１の底面との間に、ねじ４０３Ｃ１に遊嵌して配置される。
コイルバネ４０３Ｃ２は、その一端が腕部４０３Ａ１の下面に当接し、他端が穴４０２Ｂ１の底面に当接する。このため、下方に配置されたコイルバネ４０３Ｃ２は、第１保持枠４０３Ａの腕部４０３Ａ１の下方への移動を規制する。
第１保持枠４０３Ａの腕部４０３Ａ１の上方への規制は、ねじ４０３Ｃ１の回転端の下面によって規制され、腕部４０３Ａ１の上下の移動は、調整部４０３Ｃのねじ４０３Ｃ１の螺合状態を変更することで実施される。
【００５３】
ここで、調整部４０３Ｃのねじ４０３Ｃ１を右方向に回転させることにより、ねじ４０３Ｃ１は、螺合状態を変更して穴４０２Ｂ２を下方に移動する。これに伴いねじ４０３Ｃ１の回転端に当接する第１保持枠４０３Ａの腕部４０３Ａ１を下方に押圧し、コイルバネ４０３Ｃ２が撓み、第１保持枠４０３Ａの腕部４０３Ａ１が下方に移動する。すなわち、第１保持枠４０３Ａは、照明光軸に直交した面内において、支持部４０３Ｂを中心として時計回りに回転し、入射側偏光板４４２の偏光軸もまた時計回りに回転する。
また、調整部４０３Ｃのねじ４０３Ｃ２を左方向に回転させることにより、ねじ４０３Ｃ１は、螺合状態を変更して穴４０２Ｂ２を上方に移動する。これに伴いコイルバネ４０３Ｃ２は、第１保持枠４０３Ａの腕部４０３Ａ１を上方に押圧し、第１保持枠４０３Ａの腕部４０３Ａ１が上方に移動する。すなわち、第１保持枠４０３Ａは、照明光軸に直交した面内において、支持部４０３Ｂを中心として反時計回りに回転し、入射側偏光板４４２の偏光軸もまた反時計回りに回転する。
そして、上述した調整は、下ライトガイド４０１に上ライトガイド４０２を閉塞した状態で実施し、調整が終了した際には、調整部４０３Ｃのねじ４０３Ｃ２を、例えば、第１保持枠４０３Ａまたは穴４０２Ｂ１と接着剤により固定して、第１保持枠４０３Ａの回動を不可能にする。
【００５４】
下ライトガイド４０１は、図９に示すように、収納された光学装置４４の液晶パネル４４１近傍に位置する上述した溝部４０１Ｃに挿入され、該溝部４０１Ｃで回動自在に構成される第２回動機構４０４を備えている。
第２回動機構４０４は、視野角拡大板４４８を保持する略円形状の外形を有する第２保持枠４０４Ａ（図９または図１１参照）と、この第２保持枠４０４Ａを回動自在に支持する支持溝４０４Ｂとを備えている。
第２回動機構４０４は、図１１に示すように、視野角拡大板４４８を保持して、回動することにより、視野角拡大板４４８の面内方向の角度を変更して視野角を調整する。
ここで、視野角拡大板４４８は、該視野角拡大板４４８の強度を維持するために、例えば、ガラス基板上に視野角拡大フィルムが貼り付けられた構成となっている（例えば、富士写真フィルムが販売する「Ｆｕｊｉ　ＷＶ　Ｆｉｌｍ　ワイドビューＡ」（商品名）等の視野角拡大板）。そして、この視野角拡大板４４８は、第２回動機構４０４に接着剤または両面テープまたは、熱カシメ等により固定される。
【００５５】
第２保持枠４０４Ａは、板状部材から構成され、その上部には、上方へ突出する突出部４０４Ａ１が所定の間隔で２つ形成されている。これらの突出部４０４Ａ１は、それぞれ互いに対向する側面の上側の角部分が面取りされている。そして、これらの２つの突出部４０４Ａ１の隙間には、図示しない調整治具が係合し、第２保持枠４０４Ａが支持溝４０４Ｂに沿って姿勢調整できるようになっている。
この第２保持枠４０４Ａは、上ライトガイド４０２に形成された切り欠き部４０２Ａに対応した位置に配置され、ライトガイド４０に対して着脱自在に構成されている。このため、上述した第２回動機構４０４による視野角拡大板４４８の調整は、下ライトガイド４０１に上ライトガイド４０２が閉塞した状態で実施でき、調整が終了した際には、例えば、支持溝４０４Ｂとこの支持溝４０４Ｂと係合する第２保持枠４０４Ａの外周縁とを接着剤等により接着固定する。
支持溝４０４Ｂは、下ライトガイド４０１に形成された溝部４０１Ｃと同様に形成されたものであり、照明光軸と直交する面内に形成されている。そして、この支持溝４０４Ｂは、図９に示すように、下ライトガイド４０１に光学装置４４およびフィールドレンズ４１８が設置された状態で液晶パネル４４１およびフィールドレンズ４１８の間に位置している。
【００５６】
なお、第１回動機構４０３および第２回動機構４０４における入射側偏光板４４２および視野角拡大板４４８の位置調整は、どちらから実施してもよい。例えば、以下のように実施してもよい。
すなわち、第２回動機構４０４をライトガイド４０から外した状態で、第１回動機構４０３により入射側偏光板４４２の位置調整を実施する。そして、入射側偏光板４４２の位置調整を終了した後、第２回動機構４０４をライトガイド４０の溝部４０１Ｃに挿入し、第２回動機構４０４により視野角拡大板４４８の位置調整を実施する。
そして、下ライトガイド４０１に上ライトガイド４０２が閉塞した状態で、光束入射側の第１回動機構４０３、第２回動機構４０４、液晶パネル４４１の順に配置されている。
【００５７】
（４）実施形態の効果
前述のような本実施形態によれば、次のような効果がある。
（４−１）ライトガイド４０は、第１回動機構４０３および第２回動機構４０４を備えているので、従来の調整機構と比較して、これら回動機構４０３，４０４により入射側偏光板４４２および視野角拡大板４４８の位置調整を実施できる。したがって、入射側偏光板４４２における偏光軸の角度に応じて、視野角拡大板４４８の視野角調整を実施でき、高いコントラスト比を実現しつつ、液晶パネル４４１毎に生じる視野角依存性による画面ムラを抑制し、色むらのない投写画像を形成できる。
【００５８】
（４−２）第１回動機構４０３は、第１保持枠４０３Ａ、支持部４０３Ｂおよび調整部４０３Ｃを備えている。さらに、第２回動機構４０４は、下ライドガイド４０１に形成された溝部４０１Ｃ内で回動自在に構成される。このことにより、回動機構を簡素化し、入射側偏光板４４２および視野角拡大板４４８の位置調整を容易に実施できる。
【００５９】
（４−３）上ライトガイド４０２には、切り欠き部４０２Ａが形成され、第２回動機構４０４は、この切り欠き部４０２Ａを介してライトガイド４０に対して着脱自在に設けられている。このことにより、第１回動機構４０３を操作して入射側偏光板４４２における位置調整を実施した後に、第２回動機構４０４をライトガイド４０に装着して視野角拡大板４４８における位置調整を実施すれば、ライトガイド４０内部に光学部品が密接した場合であっても、これら光学部品の位置調整を効率的かつ容易に実施できる。
【００６０】
（４−４）調整部４０３Ｃは、ねじ４０３Ｃ１およびコイルバネ４０３Ｃ２を備え、第１保持枠４０３Ａは、ねじ４０３Ｃ１の穴４０２Ｂ２に対する螺合状態を変更することにより支持部４０３Ｂを中心として回動するので、入射側偏光板４４２の位置を微小に変更でき、簡素な構造で位置調整を適切に実施できる。
（４−５）ねじ４０３Ｃ１の回転端は、ライトガイド４０に対して外部に露出しているので、ライトガイド４０の外部から、ねじ４０３Ｃ１の螺合状態を変更できる。すなわち、下ライトガイド４０１に上ライトガイド４０２を閉塞した状態で入射側偏光板４４２の位置を変更でき、入射側偏光板４４２の位置調整をさらに容易に実施できる。
【００６１】
（５）実施形態の変形
尚、本発明は、前記実施形態に限定されるものではなく、以下に示すような変形をも含むものである。
前記実施形態では、第１回動機構４０３および第２回動機構４０４は、それぞれ光学部品としての入射側偏光板４４２および視野角拡大板４４８を保持して、これら光学部品の位置調整を実施していたが、これに限らない。例えば、その他の光学部品として、射出側偏光板４４３、第１レンズアレイ４１２、第２レンズアレイ４１３、フィールドレンズ４１８、その他の光学部品を保持して、位置調整を実施するような構成を採用してもよい。
【００６２】
前記実施形態では、視野角拡大板４４８は、入射側偏光板４４２と液晶パネル４４１との間に配置されていたが、これに限らない。例えば、液晶パネル４４１と射出側偏光板４４３との間に配置してもよい。すなわち、下ライトガイド４０１を上ライトガイド４０２が閉塞した状態で、第２回動機構４０４が液晶パネル４４１と射出側偏光板４４３との間に配置されるように構成してもよい。
【００６３】
前記実施形態では、第１回動機構４０３の調整部４０３Ｃには、１つのコイルバネ４０３Ｃ２を備えていたが、これに限らない。例えば、コイルバネ４０３Ｃ２を、腕部４０３Ａ１と穴４０２Ｂ１の底面との間の他に、ねじ４０３Ｃ１の回転端と該ねじ４０３Ｃ１に遊嵌した第１保持枠４０３Ａの腕部４０３Ａ１との間に設ける構成としてもよい。すなわち、２つのコイルバネ４０３Ｃ２にてねじ４０３Ｃ１に対して第１保持枠４０３Ａを付勢する。
前記実施形態では、回動機構として第１回動機構４０３および第２回動機構４０４の２つで構成されていたが、これに限らない。２つ以上で構成してもよい。前記実施形態では、螺合構造を、段付き穴４０２Ｂ内の穴４０２Ｂ２とする構成を説明したが、これに限らない。例えば、段付き穴としないで、切り欠き部４０２Ａ近傍に形成された穴４０２Ｂ２のみとしてもよい。
前記実施形態では、付勢部材としてコイルバネ４０３Ｃ２を採用して説明したが、これに限らず、弾性を有する弾性部材で構成してもよい。
【００６４】
前記実施形態では、三つの液晶パネル４４１を用いたプロジェクタ１を説明したが、これに限らない。例えば、一つの液晶パネルのみを用いたプロジェクタ、二つの液晶パネルを用いたプロジェクタ、あるいは、四つ以上の液晶パネルを用いたプロジェクタのも適用可能である。
前記実施形態では、平面視略Ｌ字状の光学ユニット４に本発明を採用していたが、これに限らず、平面視略Ｕ字状の光学ユニット４に本発明を採用してもよい。
前記実施形態では、光変調素子として液晶パネルを用いたが、マイクロミラーを用いたデバイスなど、液晶以外の光変調素子を用いてもよい。
前記実施形態では、光入射面と光射出面とが異なる透過型の光変調素子を用いたが、光入射面と光射出面とが同一となる反射型の光変調素子を用いてもよい。前記実施形態では、スクリーンを観察する方向から投写を行うフロントタイプのプロジェクタの例のみを説明したが、本発明では、スクリーンを観察する方向とは反対側から投写を行うリアタイプのプロジェクタにも適用可能である。
【図面の簡単な説明】
【図１】本発明の実施形態に係るプロジェクタの外観構成を表す概要斜視図。
【図２】前記実施形態におけるプロジェクタの外観構成を表す概要斜視図。
【図３】前記実施形態におけるプロジェクタの内部構成を表す概要斜視図。
【図４】前記実施形態におけるプロジェクタの内部構成を表す概要斜視図。
【図５】前記実施形態におけるプロジェクタの光学系の構造を表す模式図。
【図６】前記実施形態における電源回路の配置を表す概要斜視図。
【図７】前記実施形態における光源駆動回路の配置を表す概要斜視図。
【図８】前記実施形態におけるプロジェクタの冷却系を表す概要斜視図。
【図９】前記実施形態における光学部品の保持構造を説明する図。
【図１０】前記実施形態における第１回動機構を表す図。
【図１１】前記実施形態における第２回動機構を表す図。
【符号の説明】
１・・・プロジェクタ、４・・・光学ユニット、４０・・・ライトガイド（光学部品用筐体）、４０１Ｃ・・・溝部、４０２Ｂ２・・・穴（螺合構造）、４０３・・・第１回動機構、４０３Ａ・・・第１保持枠、４０３Ｂ・・・支持部、４０３Ｃ・・・調整部、４０３Ｃ１・・・ねじ（螺合部材）、４０３Ｃ２・・・コイルバネ（付勢部材）、４０４・・・第２回動機構、４１１・・・光源、４４２・・・入射側偏光板（偏光光学素子）、４４８・・・視野角拡大板（視野角拡大光学素子）。
【図１】
2004138913.tif 000003
【図２】
2004138913.tif 000004
【図３】
2004138913.tif 000005
【図４】
2004138913.tif 000006
【図５】
2004138913.tif 000007
【図６】
2004138913.tif 000008
【図７】
2004138913.tif 000009
【図８】
2004138913.tif 000010
【図９】
2004138913.tif 000011
【図１０】
2004138913.tif 000012
【図１１】
2004138913.tif 000013